(57)【特許請求の範囲】
【請求項１】
上端に溝開口を有するコンクリート製の溝ブロックの前記溝開口内に金属製の溝蓋を支持する装置であって、
前記溝ブロックは前記溝開口内に蓋受け部を相対向状に備えており、その蓋受け部は、略垂直な内側面と、この内側面の下端から段部を介して内方へ下り傾斜状に延設した蓋支持面とを形成してあり、
前記溝蓋は、前記溝ブロックの相対向する内側面間に納められる溝蓋本体と、この溝蓋本体の下面の両側からそれぞれ下向きにかつ溝蓋本体の長さ方向全長にわたって突設した多角形の中空断面形状の脚部とを備え、前記両脚部のそれぞれの外方へ面して溝蓋本体の長さ方向全長にわたって形成される外面壁は前記蓋支持面に溝蓋本体の長さ方向全長にわたって当接するテ−パ面壁と、このテ−パ面壁の上端から外方へ略水平に突出して前記段部上に溝蓋本体の長さ方向全長にわたって接当係合する突出下面壁、及びこの突出下面壁の突出外端から前記溝蓋本体の下面にまで略垂直に立上がるとともに溝蓋本体の長さ方向全長にわたり連続して形成された突出側面壁とで構成されていることを特徴とする溝ブロックへの溝蓋支持装置。
【請求項２】
突出下面壁の長さ方向全長にゴム板を取り付けている請求項１記載の溝ブロックへの溝蓋支持装置。
【発明の詳細な説明】
【０００１】
【発明の属する技術分野】
本発明は、側溝ブロックやＵ字形ブロックなどで代表されるコンクリート製の溝ブロックの溝開口内に、金属製の溝蓋（グレーチング）を支持する装置に関する。
【０００２】
【従来の技術】
金属製の溝蓋側とコンクリート製の溝ブロック側との寸法誤差により溝蓋が溝ブロック内でがたついて騒音を発生するのを防止するために、図８に示すように溝ブロック１の溝開口３内の相対向する内側面５，５の各下端から内方へ下り傾斜するよう凸曲面状の蓋支持面６を延設する一方、溝蓋２の下面の両側に脚部１０，１０を付設し、この両脚部１０，１０のそれぞれの外側下端にテ−パ面３０を形成しておいて、溝ブロック１の溝開口３内に対して溝蓋２が両脚部１０，１０のテ−パ面３０，３０を蓋支持面６，６の凸曲面上に線接触状に接合するよう嵌め込み支持されるものがある（特開平１１−６１９４号公報参照）。
【０００３】
このように溝ブロック１の凸曲面状の蓋支持面６，６間に溝蓋２の両脚部１０，１０のテ−パ面３０，３０を嵌め込んで支持するという構造を採用することにより、溝蓋２側と溝ブロック１側とに寸法誤差がある場合もこの寸法誤差を吸収できてがたつきなく支持することができる。
【０００４】
しかしながら、溝ブロック１の溝開口３内に対して溝蓋２を落とし込み装着しやすくするために、溝ブロック１の相対向する内側面５，５間の開口寸法Ａは溝蓋２の幅寸法Ｂよりも少し広めに設定している。このため、溝蓋２の嵌め込み後は溝ブロック１の内側面５，５と溝蓋２との間に隙間ｇが生じる。他方、上記のように溝蓋２の両脚部１０，１０が溝ブロック１内の蓋支持面６，６の凸曲面上に支持される構造となっていると、溝蓋２の上面の幅方向中央部より一側方に偏した位置に自動車などが通行したときに、溝蓋２に偏荷重Ｗがかかり、この偏荷重の加えられる側の脚部１０が蓋支持面６を下方に滑って溝蓋２全体が図８中に二点鎖線Ｘで示すように前記隙間ｇを介して傾き回動し、この傾動により溝蓋２の偏荷重が加えられる側とは反対側の一端部２ａが溝ブロック１の内側面５に衝突して大きい衝突音を発生するという問題があった。
【０００５】
そこで、本出願人は、先に、かかる問題を解決することのできる溝ブロックへの溝蓋支持装置を提案した（特開２０００−３１９９７７号）。これは、図９に示すように、溝蓋２の両脚部１０，１０のそれぞれの外側下端に溝ブロック１の蓋支持面６，６に当接するテ−パ面３０を形成し、そのテ−パ面３０の上方に適数個の回止め突起３１を外方へ突出するよう溝蓋２の長さ方向に所定間隔で溶接により一体的に固定する。しかるときは、自動車などの通行による偏荷重を溝蓋２が受けても、その偏荷重を受ける側の回止め突起３１が溝ブロック１の段部７上に接当係合するため、溝蓋２が傾き回動するのを防止でき、もって溝蓋２の傾き回動により生じる問題、すなわち溝蓋２の端部が溝ブロック１の内側面５に衝突して騒音を発生するのを防止できる、というものである。
【０００６】
【発明が解決しようとする課題】
しかるに、脚部１０に複数個の回止め突起３１を溶接する上記溝蓋２では、脚部１０に複数個の回止め突起３１を個々に所定位置に正確に溶接しなければならず、この作業は煩雑で多くの手間と時間を要し、製作工数の増大やコスト高を招くという難点がある。また、コンクリート製の溝ブロック１の段部７の面は凹凸があって均一なレベルに仕上げられていない場合が多く、このため溝蓋２が傾き回動するときに、同一側の複数個の回止め突起３１の全てが必ずしも一斉に段部７に当接するとは限らず、当接する回止め突起３１と当接しない回止め突起３１が存在して溝蓋２の回止め機能を十分に発揮できないことがあった。
【０００７】
また、溝蓋本体９の下面９ａと回止め突起３１の上面との間に、回止め突起３１が上向きに反りや曲り変形するのを許容する空間Ｓが形成されており、このため、溝蓋２が自動車などの通行による偏荷重を頻繁に受けて回止め突起３１が溝ブロック１の段部７上に繰り返して衝突すると、この繰り返し衝撃荷重により平板材や棒材等で構成される回止め突起３１は変形する恐れがあり、また回止め突起３１が脚部１０との溶接部から外れるおそれがあることを知見した。
【０００８】
本発明は、このような不具合な問題をも解消するためになされたものであって、図９に示す溝蓋の脚部構造を更に発展改良することにより金属製溝蓋側とコンクリート製溝ブロック側との間に少々寸法誤差がある場合も溝蓋を溝ブロック内にがたつきなく支持し得るとともに、溝蓋が自動車などの通行による偏荷重を受ける場合も傾動することなく溝ブロックの内側面との衝突音を発生するのを防止できながら、溝蓋の傾き回動防止機能の向上、脚部の製作の容易化、低コストを図れ、脚部の変形防止をも図り得る溝ブロックへの溝蓋支持装置を提供しようとするものである。
【０００９】
【課題を解決するための手段】
本発明は、上端に溝開口（３）を有するコンクリート製の溝ブロック（１）の溝開口（３）内に金属製の溝蓋（２）を支持する装置であって、溝ブロック（１）は溝開口（３）内に蓋受け部（４）を相対向状に備えており、その蓋受け部（４）は、略垂直な内側面（５）と、この内側面（５）の下端から段部（７）を介して内方へ下り傾斜状に延設した蓋支持面（６）とを形成してあり、溝蓋（２）は、溝ブロック（１）の相対向する内側面（５），（５）間に納められる溝蓋本体（９）と、この溝蓋本体（９）の下面の両側からそれぞれ下向きにかつ溝蓋本体（９）の長さ方向全長にわたって突設した多角形の中空断面形状の脚部（１０），（１０）とを備え、両脚部（１０），（１０）のそれぞれの外方へ面して溝蓋本体の長さ方向全長にわたって形成される外面壁（２１）は前記蓋支持面（６）に溝蓋本体の長さ方向全長にわたって当接するテ−パ面壁（２１ａ）と、このテ−パ面壁（２１ａ）の上端から外方へ略水平に突出して前記段部（７）上に溝蓋本体の長さ方向全長にわたって接当係合する突出下面壁（２１ｂ）、及びこの突出下面壁（２１ｂ）の突出外端から溝蓋本体（９）の下面にまで略垂直に立上がるとともに溝蓋本体（９）の長さ方向全長にわたり連続して形成された突出側面壁（２１ｃ）とで構成されていることに特徴を有するものである。ここで、内方へ下り傾斜状に延設した蓋支持面（６）とは、図４のような真っ直ぐな下り傾斜面の形の蓋支持面（６）や図７のような凸曲面の形の蓋支持面（６）のいずれも含む意である。
この場合において、突出下面壁（２１ｂ）の長さ方向全長にゴム板（２２）を取り付けることができる。
【００１０】
【作用】
溝ブロック（１）の溝開口（３）内の相対向する蓋支持面（６），（６）はそれぞれ内側面（５），（５）の下端から内方へ下り傾斜状に延設しているため、この両蓋支持面（６），（６）間の空間は上方拡がり状態を呈する一方、溝蓋（２）の両脚部（１０），（１０）のそれぞれの外面壁（２１）の下端に前記蓋支持面（６）に当接するテ−パ面壁（２１ａ）を形成しているため、この両脚部（１０），（１０）のテ−パ面壁（２１ａ），（２１ａ）間の間隔が下方狭まり状態を呈することになり、したがって、溝ブロック（１）の溝開口（３）の内法寸法と溝蓋（２）の両脚部（１０），（１０）との間に少々の寸法誤差が生じている場合も、溝ブロック（１）の蓋支持面（６），（６）間に溝蓋（２）の両脚部（１０），（１０）を嵌合することにより溝蓋（２）を溝ブロック（１）内にがたつきなく支持し得ることになる。
【００１１】
溝蓋（２）の脚部（１０）に突出下面壁（２１ｂ）を設け、これを溝ブロック（１）の段部（７）上に接当係合するようにしてあると、溝蓋（２）が自動車などの通行による偏荷重を受けたとき溝蓋（２）は傾き回動するのを前記突出下面壁（２１ｂ）と段部（７）との係合作用でもって確実に阻止することができ、したがって溝蓋（２）の端部が溝ブロック（１）の内側面（５）に衝突するのを確実に防止できる。
【００１２】
その際、溝蓋（２）の段部（７）に当接させる突出下面壁（２１ｂ）は脚部（１０）の長さ方向全長にわたって形成されているので、段部（７）に凹凸がある場合も突出下面壁（２１ｂ）の長手方向のいずれかの箇所が必ず段部（７）に当接することになり、溝蓋（２）の傾き回動防止機能を向上できる。
【００１３】
溝蓋（２）が自動車などの通行による偏荷重を受けて突出下面壁（２１ｂ）を段部（７）上に衝突したときも、このときの衝撃に対しては突出下面壁（２１ｂ）の突出外端から溝蓋本体（９）の下面にまで略垂直に立上がった突出側面壁（２１ｃ）の突張り力で十分に対抗することができるため、脚部（１０）が変形することも防止できる。
【００１４】
このように溝蓋（２）の傾き回動防止機能を発揮する突出下面壁（２１ｂ）及び突出側面壁（２１ｃ）は脚部（１０）の製作と同時に一体に加工することができ、傾き回動防止機能を発揮する脚部（１０）を少ない製作工数で容易に製作することができる。
【００１５】
【発明の実施の形態】
本発明の一実施例を図面に基づき説明する。図１は本発明の一実施例による溝蓋の平面図、図２は同溝蓋の一部切欠き状態の側面図、図３は同溝蓋の正面図、図４は同溝蓋を溝ブロックに嵌め込んだ状態で示す縦断正面図である。
【００１６】
図４において、１はコンクリート製の溝ブロック、２は金属製の溝蓋である。  コンクリート製の溝ブロック１は断面Ｕ字形に形成されて上端に溝開口３を有し、この溝開口３内に蓋受け部４，４を相対向状に形成しており、各蓋受け部４は、抜き勾配を付けた略垂直な内側面５と、この内側面５の下端から平坦な段部７を介して内方へ下り傾斜状に延設した蓋支持面６とを形成している。相対向する蓋支持面６，６はそれぞれ内方へ下り傾斜状に形成されることにより、両蓋支持面６，６間の間隔は上方に行くに従い漸次広幅に形成され、この蓋支持面６，６間の空間は上方拡がり状に形成される。
【００１７】
図１ないし図３に示すように、金属製の溝蓋２は、四角形状で格子状に組み立てた溝蓋本体９と、この溝蓋本体９の下面の溝幅方向両端寄りに溝蓋本体９の長さ方向（溝長手方向）の全長にわたって溶接固定した一対の平行な脚部１０，１０とを備えている。溝蓋本体９は、図１及び図２に示すように、フラットバー又はＩ型バーよりなる縦枠１２，１３と、フラットバー又はＩ型バーよりなる横枠１４，１５とを四角形に枠組みするとともに、横枠１４，１５間に溝幅方向に沿うフラットバー又はＩ型バーよりなるメインバー１６を、縦枠１２，１３及びメインバー１６上に溝長手方向に沿うツイストバーなどよりなるクロスバー１７をそれぞれ渡して溶接固定することにより格子状に組み立てている。
溝蓋２は溝ブロック１の溝開口３内にこれの上方から嵌め込みやすくするために、図４に示すように、溝蓋２の横枠１４，１５間の幅寸法Ｂは溝ブロック１の内側面５，５間の開口寸法Ａよりも少し小さく寸法設定している。
【００１８】
溝蓋２の脚部１０は、鋼板等金属材料で断面多角形状の中空形状に形成されており、図３に示すように、互いに平行な水平の上下面壁１８，１９と、上下面壁１８，１９の内端どうしを一体につなぐ垂直な内面壁２０、及び上下面壁１８，１９の外端どうしを一体につなぐ変形断面の外面壁２１とを有してなる。外面壁２１は、下面壁１９の外端につながるテ−パ面壁２１ａと、このテ−パ面壁２１ａの上端から外方へ略水平に突出する突出下面壁２１ｂ、及びこの突出下面壁２１ｂの突出外端と上面壁１８の外端とを一体につなぐ略垂直な突出側面壁２１ｃとで構成される。テ−パ面壁２１ａは、図４に示す溝ブロック１の蓋支持面６の勾配に対応させている。
【００１９】
上記断面形状の脚部１０は、例えば、図５に示すように、上面壁１８及び内面壁２０を有する断面Ｌ形の脚部構成部材１０ａと、突出側面壁２１ｃ、突出下面壁２１ｂ、テ−パ面壁２１ａ及び下面壁１９を有する変形断面の脚部構成部材１０ｂとを突き合わせ、この突き合わせ部を溶接することにより図３に示すごとき多角形の中空断面形状に形成することができ、その製作は少ない工数で容易である。または、図６に示すように、上面壁１８、内面壁２０及び下面壁１９を有する断面コの字形の脚部構成部材１０ａと、突出側面壁２１ｃ、突出下面壁２１ｂ、及びテ−パ面壁２１ａを有する変形断面の脚部構成部材１０ｂとを突き合わせ、この突き合わせ部を溶接することによっても前記と同様な断面形状の脚部１０を容易に製作することができる。
【００２０】
図２及び図３に示すように、脚部１０の突出下面壁２１ｂのみに、又は突出下面壁２１ｂから突出側面壁２１ｃの長さ方向全長にわたってゴム板２２をリベット２３等で取り付けている。
【００２１】
図１及び図３に示すように、溝蓋本体９の下面に対し脚部１０は外面壁２１が外方へ面すると共にテ−パ面壁２１ａが下向きになるように上面壁１８が多数本のメインバー１６の下面にその２〜３本置き間隔で溶接固定される。これにより、両脚部１０，１０のテ−パ面壁２１ａ，２１ａ間の間隔は下方に至るに従い漸次狭幅に形成され、突出側面壁２１ｃは突出下面壁２１ｂの突出外端から略垂直に立上がって溝蓋本体９の下面に一体につながった状態になる。
【００２２】
図４に示すように、溝ブロック１の溝開口３内に対して溝蓋２は溝蓋本体９が溝ブロック１の内側面５，５間に納まり、両脚部１０，１０のテ−パ面壁２１ａ，２１ａが蓋支持面６，６上に支持されるように嵌め込まれる。その際、両脚部１０，１０の下方狭まり状態を呈するテ−パ面壁２１ａ，２１ａが上方拡がり状態を呈する両蓋支持面６，６間にテ−パ嵌合するので、溝ブロック１の溝開口３内寸法と溝蓋２の両脚部１０，１０との間に少々の寸法誤差が生じているときも、溝蓋２を溝ブロック１の溝開口３内にがたつきなく支持することができた。
【００２３】
たとえ、溝蓋２が自動車などの通行による偏荷重を受けたときも、溝蓋２の両脚部１０，１０の突出下面壁２１ｂ，２１ｂが溝ブロック１の段部７，７上に接当係合するので、溝蓋２が図８中の二点鎖線Ｘで示すごとき傾き回動して溝ブロック１の内側面５に衝突するのを確実に防止できる。また、突出下面壁２１ｂに取り付けたゴム板２２により、突出下面壁２１ｂが段部７に衝突するときに衝突音が発生するのを防止できる。したがって、溝蓋２は、自動車などの通行により荷重を受けるときも溝ブロック１の溝開口３内において常に水平な嵌まり込み状態に安定確実に、かつ騒音を発生することのないように支持されるに至った。
また、突出側面壁２１ｃは突出下面壁２１ｂの突出外端から略垂直に立上がって溝蓋本体９の下面にまで一体につながった状態にあるので、溝蓋２が自動車などの通行による偏荷重を受けて突出下面壁２１ｂを段部７上に衝突したとき、このときの衝撃に対しては突出側面壁２１ｃの突張り力で十分に対抗することができ、脚部１０が変形するのを防止できるに至った。
【００２４】
なお、図２及び図４に示すように、脚部１０の内面壁２０に金属製の舌片状の垂下板２４を下面壁１９より下方へ突出するように固定しておくと、溝蓋２が自動車などの通行による偏荷重を受けたとき、この垂下板２４が溝ブロック１の溝開口３の内壁に当接することにもなるため、溝蓋２の傾き回動を突出下面壁２１ｂの段部７への当接作用と相俟ってより確実に防止できる。
【００２５】
上記蓋支持面６は図４のように真っ直ぐな下り傾斜面に形成するに代えて、図７に示すように凸曲面に形成するものであってもよく、要は相対向する蓋支持面６，６間の空間が上方拡がり状になるように形成するものであればよい。
【００２６】
【発明の効果】
本発明によれば、溝ブロックの溝開口内寸法と溝蓋の両脚部との間に少々の寸法誤差が生じている場合も、溝蓋を溝ブロック内にがたつきなく支持することができるとともに、溝蓋に自動車などの通行により偏荷重が加えられる場合も溝ブロックとの衝突音を発生するようなことが無くて騒音防止を図れ、しかも溝蓋の傾き回動防止機能を向上でき、また変形のない剛性に富む脚部を容易に低コストで製作することができるという利点がある。
【図面の簡単な説明】
【図１】  本発明の一実施例を示す溝蓋の平面図である。
【図２】  同溝蓋の一部切欠き状態の側面図である。
【図３】  同溝蓋の正面図である。
【図４】  同溝蓋を溝ブロックに嵌め込んだ状態で示す縦断正面図である。
【図５】  同溝蓋の脚部構成部材の斜視図である。
【図６】  同溝蓋の脚部構成部材の他の実施例を示す斜視図である。
【図７】  本発明の他の実施例を図４に相応して示す縦断正面図である。
【図８】  従来例の溝蓋を溝ブロックに嵌め込んだ状態で示す縦断正面図である。
【図９】  他の従来例の溝蓋を溝ブロックに嵌め込んだ状態で示す縦断正面図である。
【符号の説明】
１  溝ブロック
２  溝蓋
３  溝開口
４  蓋受け部
５  内側面
６  蓋支持面
７  段部
９  溝蓋本体
１０  脚部
２１  脚部の外面壁
２１ａ  テ−パ面壁
２１ｂ  突出下面壁
２１ｃ  突出側面壁
２２  ゴム板
【図１】
0003645176.tif 000002
【図２】
0003645176.tif 000003
【図３】
0003645176.tif 000004
【図４】
0003645176.tif 000005
【図５】
0003645176.tif 000006
【図６】
0003645176.tif 000007
【図７】
0003645176.tif 000008
【図８】
0003645176.tif 000009
【図９】
0003645176.tif 000010